(57)【要約】 【課題】  消費者が商品の購入を検討する際に、商品に禁忌となる物質が含まれているか否かを容易に確認することが可能な病院情報システムを提供する。【解決手段】  病院情報システムは、診療データベース、認証情報作成部、公開情報作成部、認証データベース、公開データベース、認証部、及び判定部を具備する。診療データベースは、診療情報を記憶する。認証情報作成部は、診療情報に基づいて認証情報を作成する。公開情報作成部は、診療情報に基づいて公開情報を作成する。認証データベースは、作成された認証情報を記憶する。公開データベースは、作成された公開情報を記憶する。認証部は、外部ネットワークからの認証情報が、認証データベースの認証情報と一致するかを判断する。判定部は、一致すると判断される場合、外部ネットワークからの商品に関する情報と、公開データベースの公開情報とに基づき、禁忌成分が商品に含まれているかを判断する。【選択図】図２
2018139063.tif 000002
【特許請求の範囲】
【請求項１】
診療情報を記憶する診療データベースと、
前記診療情報に基づいて認証情報を作成する認証情報作成部と、
前記診療情報に基づき、患者にとっての禁忌成分を公開するための公開情報を作成する公開情報作成部と、
前記作成された認証情報を記憶する認証データベースと、
前記作成された公開情報を記憶する公開データベースと、
外部ネットワークを介して受信する認証情報が、前記認証データベースに記憶されている認証情報と一致するか否かを判断する認証部と、
前記認証部により一致すると判断される場合、前記外部ネットワークを介して受信する商品に関する情報と、前記公開データベースに記憶される公開情報とに基づき、前記情報の送信者にとっての禁忌成分が前記商品に含まれているか否かを判断する判定部と、
前記診療データベース、前記認証情報作成部、及び前記公開情報作成部と、前記認証データベース、前記公開データベース、前記認証部、及び前記判定部との間でデータを中継する第１中継部と、
前記第１中継部と、前記認証データベース、前記公開データベース、前記認証部、及び前記判定部と、前記外部ネットワークとの間でデータを中継する第２中継部と
を具備する病院情報システム。
【請求項２】
前記認証部により一致すると判断される場合、前記外部ネットワークを介して受信する商品に関する情報に基づき、前記商品の成分に関する情報を、前記商品の製造元から取得する取得部をさらに具備し、
前記判定部は、前記取得部により取得された成分に関する情報と、前記公開データベースに記憶される公開情報とに基づき、前記情報の送信者にとっての禁忌成分が前記商品に含まれているか否かを判断し、
前記第２中継部は、前記取得部と、前記外部ネットワークとの間でデータを中継する請求項１記載の病院情報システム。
【請求項３】
前記認証部により一致すると判断される場合、前記商品に関する情報を解析し、商品コードを取得する解析部と、
前記解析部により取得された商品コードに基づき、前記商品の成分に関する成分コードを、前記商品の製造元から取得する取得部と
をさらに具備し、
前記判定部は、前記取得部により取得された成分コードと、前記公開データベースに記憶される公開情報とに基づき、前記情報の送信者にとっての禁忌成分が前記商品に含まれているか否かを判断し、
前記第２中継部は、前記解析部、及び前記取得部と、前記外部ネットワークとの間でデータを中継する請求項１記載の病院情報システム。
【請求項４】
前記認証部により一致すると判断される場合、前記商品に関する情報を解析し、前記商品の成分に関する成分コードを取得する解析部をさらに具備し、
前記判定部は、前記解析部により取得された成分コードと、前記公開データベースに記憶される公開情報とに基づき、前記情報の送信者にとっての禁忌成分が前記商品に含まれているか否かを判断し、
前記第２中継部は、前記解析部と、前記外部ネットワークとの間でデータを中継する請求項１記載の病院情報システム。
【請求項５】
購入履歴を記憶する書込用公開データベースと、
前記外部ネットワークを介して前記商品の購入を決定したことが通知されると、前記書込用公開データベースに前記送信者が購入する前記商品に関する情報を前記購入履歴として記憶する記憶制御部と
をさらに具備し、
前記第２中継部は、前記書込用公開データベース、及び前記記憶制御部と、前記外部ネットワークとの間でデータを中継する請求項１乃至４のいずれかに記載の病院情報システム。
【請求項６】
前記作成された認証情報を、患者が有する記憶媒体へ書き込む出力部をさらに具備する請求項１乃至５のいずれかに記載の病院情報システム。
【請求項７】
外部ネットワークを介して認証情報、及び商品に関する情報を受信する処理と、
前記外部ネットワークを介し、商品の成分に関する情報の要求信号を、前記商品の製造元へ送信する処理と、
外部ネットワークを介し、前記製造元が送信した前記成分に関する情報を受信する処理と、
前記受信した商品に関する情報、前記成分に関する情報、及び予め記憶される禁忌成分に関する情報に基づいて判断される判断結果を、前記外部ネットワークを介して利用者へ送信する処理と
をプロセッサに実行させる通信制御プログラム。
【発明の詳細な説明】
【技術分野】
【０００１】
本発明の実施形態は、病院情報システム、及び通信制御プログラムに関する。
【背景技術】
【０００２】
店舗において販売される食品等の商品の包装には、その商品を製造する際に用いられた原材料の名称が表示されている。健康のために商品の安全性を求める消費者は、包装の表示を参照することで、商品の原材料を確認することが可能である。例えば、食物アレルギーを有する消費者は、表示を参照することにより、アレルギー源となる禁忌物質が食品に含まれているかを確認することが可能である。
【０００３】
しかしながら、商品に含まれる物質は、包装に記載されている原材料のみに限られない。そして、場合によっては、原材料として記載されていない物質が、消費者が禁忌とする物質であるおそれもある。
【先行技術文献】
【特許文献】
【０００４】
【特許文献１】特開２０１３−１３７６３８号公報
【発明の概要】
【発明が解決しようとする課題】
【０００５】
そこで、目的は、消費者が商品の購入を検討する際に、商品に禁忌となる物質が含まれているか否かを容易に確認することが可能な病院情報システム、及びこの病院情報システムで用いられるプログラムを提供することにある。
【課題を解決するための手段】
【０００６】
実施形態によれば病院情報システムは、診療データベース、認証情報作成部、公開情報作成部、認証データベース、公開データベース、認証部、判定部、第１中継部、及び第２中継部を具備する。診療データベースは、診療情報を記憶する。認証情報作成部は、前記診療情報に基づいて認証情報を作成する。公開情報作成部は、前記診療情報に基づき、患者にとっての禁忌成分を公開するための公開情報を作成する。認証データベースは、前記作成された認証情報を記憶する。公開データベースは、前記作成された公開情報を記憶する。認証部は、外部ネットワークを介して受信する認証情報が、前記認証データベースに記憶されている認証情報と一致するか否かを判断する。判定部は、前記認証部により一致すると判断される場合、前記外部ネットワークを介して受信する商品に関する情報と、前記公開データベースに記憶される公開情報とに基づき、前記情報の送信者にとっての禁忌成分が前記商品に含まれているか否かを判断する。第１中継部は、前記診療データベース、前記認証情報作成部、及び前記公開情報作成部と、前記認証データベース、前記公開データベース、前記認証部、及び前記判定部との間でデータを中継する。第２中継部は、前記第１中継部と、前記認証データベース、前記公開データベース、前記認証部、及び前記判定部と、前記外部ネットワークとの間でデータを中継する。
【図面の簡単な説明】
【０００７】
【図１】図１は、第１の実施形態に係る病院情報システムが活用される環境を表すブロック図である。
【図２】図２は、図１に示される病院情報システムの機能構成を示すブロック図である。
【図３】図３は、図２に示される第１サーバの機能構成を示すブロック図である。
【図４】図４は、図２に示される第２サーバの機能構成を示すブロック図である。
【図５】図５は、図３に示される処理回路が認証情報、及び公開情報を作成する際の動作の例を表すフローチャートである。
【図６】図６は、図３に示される処理回路により作成される公開情報を表す図である。
【図７】図７は、図４に示される処理回路が、商品に禁忌となる成分が含まれているか否かを判断する際の動作を説明する図である。
【図８】図８は、図１で示される管理システムが記憶している、商品コードと、成分コードとの対応情報を表す図である。
【図９】図９は、図１に示される通信端末に設けられる表示回路の表示例を表す図である。
【図１０】図１０は、図１に示される通信端末に設けられる表示回路のその他の表示例を表す図である。
【図１１】図１１は、図１に示される通信端末に設けられる表示回路のその他の表示例を表す図である。
【図１２】図１２は、商品の包装に２次元バーコードが付されている場合の、第２サーバの処理回路の動作を説明する図である。
【図１３】図１３は、図４に示される第２サーバのその他の機能構成を示すブロック図である。
【図１４】図１４は、図１３に示される処理回路が、書込用公開データベースへ情報を書き込む際の動作の例を説明する図である。
【図１５】図１５は、第２の実施形態に係る病院情報システムが活用される環境を表すブロック図である。
【図１６】図１６は、第２の実施形態に係る第２サーバが、商品に禁忌となる成分が含まれているか否かを判断する際の動作を説明する図である。
【発明を実施するための形態】
【０００８】
以下、実施の形態について、図面を参照して説明する。
【０００９】
（第１の実施形態）  
図１は、第１の実施形態に係る病院情報システム１０が活用される環境の一例を表すブロック図である。図１では、病院情報システム１０、通信端末２０、及び管理システム３０がＩＰ網により接続されている。
【００１０】
病院情報システム１０は、病院内ネットワーク上に構築され、病院内の診療情報等を管理するシステムである。本実施形態において、診療情報には、例えば、患者情報、及び診療録に記録される情報が含まれる。診療録に記録される情報には、医師等が患者を診療する過程で発生する情報が含まれる。なお、診療録は、電子カルテとして記録されても構わない。病院情報システム１０は、通信端末２０の使用者が購入を検討している商品に、使用者にとって禁忌な成分が含まれているか否かを、通信端末２０から送信される情報に基づいて判断する。
【００１１】
通信端末２０は、例えば、携帯電話、スマートフォン、タブレットＰＣ、及びノートＰＣ等の携帯可能な種々のデバイスである。通信端末２０は、使用者により携帯され、ＩＰ網を介して病院情報システム１０と通信接続する。通信端末２０は、使用者が取得した商品についての情報を、自身に対して設定されている認証情報と共に、ＩＰ網を介して病院情報システム１０へ送信する。本実施形態において、商品についての情報は、例えば、商品の包装に付されている１次元バーコード、及び２次元バーコード等のコードシンボルを読み取ることで取得される情報を表す。
【００１２】
また、通信端末２０は、表示回路を備える。通信端末２０は、病院情報システム１０で判断された禁忌な成分に関する判断結果を表示回路に表示する。
【００１３】
管理システム３０は、例えば、食品、及び薬品等の商品を製造した企業が所有するシステムである。なお、企業が製造する商品は、食品、及び薬品に限られない。例えば、スギ花粉等のアレルギー物質を含む可能性のある装飾品、所定のアレルギー物質を含む化粧品等、その他の種々の製品を含む。管理システム３０では、商品に関するコード、例えば、食品コードと、その商品が含む成分に関するコード、例えば、成分コードとを対応付けて管理している。なお、管理システム３０で管理される成分に関するコードは、後述する公開情報に含まれる成分に関するコードと統一された規格に基づいて発番される。
【００１４】
図２は、図１に示される病院情報システム１０の機能構成の例を示すブロック図である。図２に示される病院情報システム１０は、第１サーバ１１、ＰＣ端末１２、中継装置１３、第２サーバ１４、及び中継装置１５を具備する。第１サーバ１１、及びＰＣ端末１２は、中継装置１３，１５を介してＩＰ網と接続する。また、第２サーバ１４は、中継装置１５を介してＩＰ網と接続する。
【００１５】
第１サーバ１１は、病院内の診療情報を管理するサーバである。
【００１６】
第２サーバ１４は、診療情報に基づいて作成される認証情報、及び公開情報を管理するサーバである。
【００１７】
ＰＣ端末１２は、医師等の医療スタッフが使用するＰＣ端末である。医療スタッフは、ＰＣ端末１２を操作することで、第１サーバ１１へ指示を与える。例えば、ＰＣ端末１２を介して診療録データの作成が指示されることで、第１サーバ１１に診療情報が記憶される。また、ＰＣ端末１２を介して認証情報の発行が指示されることで、第１サーバ１１で管理される診療情報に基づいて認証情報が作成される。また、ＰＣ端末１２を介して公開情報の作成が指示されることで、第１サーバ１１で管理される診療情報に基づいて公開情報が作成される。
【００１８】
中継装置１３は、第１サーバ１１、及びＰＣ端末１２と、第２サーバ１４との接続を中継する装置である。中継装置１３は、例えば、ファイアウォール機能を有するプロキシサーバにより実現される。なお、中継装置１３の機能はソフトウェアにより実現されてもよい。このとき、中継装置１３の機能は第１サーバ１１に実装されても構わない。
【００１９】
中継装置１５は、中継装置１３、及び外部のネットワークと、病院内ネットワークとの接続を中継する装置である。中継装置１５は、例えば、ファイアウォール機能を有するプロキシサーバにより実現される。なお、中継装置１５の機能はソフトウェアにより実現されてもよい。このとき、中継装置１５の機能は第２サーバ１４に実装されても構わない。中継装置１３，１５を設けることにより、アクセス制限を２段階で設定することが可能になる。例えば、外部ネットワークからの、第２サーバ１４へのアクセスを許可しつつ、第１サーバ１１へのアクセスを許可しないという運用が可能となる。
【００２０】
図３は、図２に示される第１サーバ１１の機能構成の例を示すブロック図である。図３に示される第１サーバ１１は、処理回路１１１、通信インタフェース回路１１２、及び記憶回路１１３を有する。処理回路１１１、通信インタフェース回路１１２、及び記憶回路１１３は、例えば、バスを介して互いに通信可能に接続されている。
【００２１】
処理回路１１１は、第１サーバ１１の中枢として機能するプロセッサである。処理回路１１１は、記憶回路１１３等に記憶されている処理プログラムを実行することにより、当該プログラムに対応する機能を実現する。
【００２２】
通信インタフェース回路１１２は、病院内ネットワークを介して接続されたＰＣ端末１２、及び中継装置１３との間でデータ通信を行う。ＰＣ端末１２、及び中継装置１３との通信の規格は、如何なる規格であっても良いが、例えば、ＨＬ７（Hearth Level 7）が挙げられる。
【００２３】
記憶回路１１３は、種々の情報を記憶するＨＤＤ（hard disk drive）、ＳＳＤ（solid state drive）、及び集積回路記憶装置等の記憶装置である。また、記憶回路１１３は、ＣＤ−ＲＯＭドライブ、ＤＶＤドライブ、及びフラッシュメモリ等の可搬性記憶媒体との間で種々の情報を読み書きする駆動装置等であっても良い。記憶回路１１３は、本実施形態に係る処理プログラム等を記憶している。
【００２４】
また、記憶回路１１３には、診療データベース（ＤＢ）１１３１、及び変換データベース１１３２が構築されている。診療データベース１１３１、及び変換データベース１１３２は、処理回路１１１が記憶回路１１３に記憶されるプログラムを実行することで管理される。
【００２５】
診療データベース１１３１は、診療情報が記憶されるデータベースである。診療情報には、患者についてのアレルギー・禁忌に関する情報等が含まれる。
【００２６】
変換データベース１１３２は、診療情報から公開情報を作成するための規則が記憶されるデータベースである。変換データベース１１３２では、例えば、診療情報から抽出する項目が規則として記憶されている。
【００２７】
なお、第１サーバ１１は、入力インタフェース回路を有していてもよい。入力インタフェース回路は、例えば、マウス、キーボード、及び、操作面へ触れることで指示が入力されるタッチパネル等により実現される。入力インタフェース回路は、操作者からの入力指示を電気信号へ変換し、電気信号を処理回路１１１へ出力する。なお、入力インタフェース回路は、マウス、及びキーボード等の物理的な操作部品を備えるものだけに限られない。例えば、第１サーバ１１とは別体に設けられた外部の入力機器から入力される指示に対応する電気信号を受け取り、この電気信号を処理回路１１１へ出力する回路も入力インタフェース回路の例に含まれる。
【００２８】
また、第１サーバ１１は、出力インタフェース回路を有していてもよい。出力インタフェース回路は、例えば、表示機器、及び印刷機器等により実現される。表示機器としては、例えば、ＣＲＴディスプレイ、液晶ディスプレイ、有機ＥＬディスプレイ、ＬＥＤディスプレイ、及びプラズマディスプレイ等、任意のディスプレイが適宜利用可能である。表示機器は、表示対象についての画像データを表示する。印刷機器は、例えば、プリンタである。印刷機器は、印刷対象についての画像データを所定用紙に印刷する。なお、出力インタフェース回路は、表示機器、及び印刷機器等の物理的な出力部品を備えるものだけに限られない。例えば、第１サーバ１１とは別体に設けられた外部の出力機器へ画像データを送信する回路も出力インタフェース回路の例に含まれる。
【００２９】
また、本実施形態では、診療データベース１１３１、及び変換データベース１１３２が記憶回路１１３に構築されている場合を例に説明しているが、これに限定されない。診療データベース１１３１、及び変換データベース１１３２は、それぞれが独立した記憶回路に構築されていても構わない。また、診療データベース１１３１、及び変換データベース１１３２が構築される記憶回路は、第１サーバ１１とは異なる装置に設けられても構わない。
【００３０】
図３に示される処理回路１１１は、記憶回路１１３に記憶されている処理プログラムを実行することで、当該プログラムに対応する機能を実現する。例えば、処理回路１１１は、処理プログラムを実行することで、認証情報作成機能１１１１、及び公開情報作成機能１１１２を有する。なお、本実施形態では、単一のプロセッサによって認証情報作成機能１１１１、及び公開情報作成機能１１１２が実現される場合を説明するが、これに限定されない。例えば、複数の独立したプロセッサを組み合わせて処理回路を構成し、各プロセッサが処理プログラムを実行することにより認証情報作成機能１１１１、及び公開情報作成機能１１１２を実現しても構わない。
【００３１】
認証情報作成機能１１１１は、認証情報を作成する機能である。具体的には、例えば、処理回路１１１は、ＰＣ端末１２から認証情報の発行指示を受信すると、認証情報作成機能１１１１を実行する。認証情報作成機能１１１１を実行すると処理回路１１１は、診療データベース１１３１に記憶されている診療情報に含まれる情報に基づき、認証情報を作成する。認証情報は、通信端末２０の使用者が病院情報システム１０との通信接続を認められた者であるか否かを判断するのに用いられる。認証情報は、患者毎に作成される。認証情報は、例えば、番号により表されてもよい。作成された認証情報は、中継装置１３を介して第２サーバ１４へ送信される。
【００３２】
公開情報作成機能１１１２は、公開情報を作成する機能である。具体的には、例えば、処理回路１１１は、ＰＣ端末１２から公開情報の作成指示を受信すると、公開情報作成機能１１１２を実行する。公開情報作成機能１１１２を実行すると処理回路１１１は、診療データベース１１３１に記憶されている診療情報に含まれる情報と、変換データベース１１３２に記憶されている規則とに基づき、公開情報を作成する。公開情報には、患者にとって禁忌であると診療された所定の成分に関するコードが含まれる。作成された公開情報は、中継装置１３を介して第２サーバ１４へ送信される。
【００３３】
図４は、図２に示される第２サーバ１４の機能構成の例を示すブロック図である。図４に示される第２サーバ１４は、処理回路１４１、通信インタフェース回路１４２、及び記憶回路１４３を有する。処理回路１４１、通信インタフェース回路１４２、及び記憶回路１４３は、例えば、バスを介して互いに通信可能に接続されている。
【００３４】
処理回路１４１は、第２サーバ１４の中枢として機能するプロセッサである。処理回路１４１は、記憶回路１４３等に記憶されている処理プログラムを実行することにより、当該プログラムに対応する機能を実現する。
【００３５】
通信インタフェース回路１４２は、病院内ネットワークを介して接続された中継装置１３，１５との間でデータ通信を行う。中継装置１３，１５との通信の規格は、如何なる規格であっても良い。例えば、中継装置１３との通信にはＨＬ７が利用され、中継装置１５との通信には所定の通信プロトコルが利用される。
【００３６】
記憶回路１４３は、種々の情報を記憶するＨＤＤ、ＳＳＤ、及び集積回路記憶装置等の記憶装置である。また、記憶回路１４３は、ＣＤ−ＲＯＭドライブ、ＤＶＤドライブ、及びフラッシュメモリ等の可搬性記憶媒体との間で種々の情報を読み書きする駆動装置等であっても良い。記憶回路１４３は、本実施形態に係る処理プログラム等を記憶している。
【００３７】
また、記憶回路１４３には、認証データベース１４３１、及び公開データベース１４３２が構築されている。認証データベース１４３１、及び公開データベース１４３２は、処理回路１４１が記憶回路１４３に記憶されるプログラムを実行することで管理される。
【００３８】
認証データベース１４３１は、第１サーバ１１で作成される認証情報が記憶されるデータベースである。認証情報は、例えば、患者ＩＤと関連付けられて記憶されている。
【００３９】
公開データベース１４３２は、第１サーバ１１で作成される公開情報が記憶されるデータベースである。公開情報は、患者毎に記憶されている。また、公開データベース１４３２には、商品の製造元へアクセスするための情報が予め記憶されている。
【００４０】
なお、第２サーバ１４は、入力インタフェース回路、及び出力インタフェース回路を有していても構わない。
【００４１】
また、本実施形態では、認証データベース１４３１、及び公開データベース１４３２が記憶回路１４３に構築されている場合を例に説明しているが、これに限定されない。認証データベース１４３１、及び公開データベース１４３２は、それぞれが独立した記憶回路に構築されていても構わない。また、認証データベース１４３１、及び公開データベース１４３２が構築される記憶回路は、第２サーバ１４とは異なる装置に設けられても構わない。
【００４２】
図４に示される処理回路１４１は、記憶回路１４３に記憶されている処理プログラムを実行することで、当該プログラムに対応する機能を実現する。例えば、処理回路１４１は、処理プログラムを実行することで、記憶制御機能１４１１、認証機能１４１２、解析機能１４１３、取得機能１４１４、及び判定機能１４１５を有する。なお、本実施形態では、単一のプロセッサによって記憶制御機能１４１１、認証機能１４１２、解析機能１４１３、取得機能１４１４、及び判定機能１４１５が実現される場合を説明するが、これに限定されない。例えば、複数の独立したプロセッサを組み合わせて処理回路を構成し、各プロセッサが処理プログラムを実行することにより記憶制御機能１４１１、認証機能１４１２、解析機能１４１３、取得機能１４１４、及び判定機能１４１５を実現しても構わない。
【００４３】
記憶制御機能１４１１は、認証データベース１４３１、及び公開データベース１４３２への情報の記憶を制御する機能である。具体的には、例えば、処理回路１４１は、第１サーバ１１から認証情報、及び公開情報を受信すると、記憶制御機能１４１１を実行する。記憶制御機能１４１１を実行すると処理回路１４１は、認証情報を認証データベース１４３１へ記憶し、公開情報を公開データベース１４３２へ記憶する。
【００４４】
認証機能１４１２は、通信端末２０の使用者の認証を行う機能である。具体的には、例えば、処理回路１４１は、通信端末２０から送信される認証情報を、ＩＰ網を介して受信すると、認証機能１４１２を実行する。認証機能１４１２を実行すると処理回路１４１は、受信した認証情報と、認証データベース１４３１に記憶されている認証情報とを突合わせ、通信端末２０の使用者が、認証データベース１４３１に登録されている患者と一致するか否かを判断する。換言すると、処理回路１４１は、通信端末２０の使用者が、病院情報システム１０に登録されている患者であるか否かを判断すると言うことも可能である。
【００４５】
解析機能１４１３は、通信端末２０から送信される情報を解析する機能である。具体的には、例えば、処理回路１４１は、通信端末２０の使用者と、登録されている患者とが一致すると、解析機能１４１３を実行する。解析機能１４１３を実行すると処理回路１４１は、受信した情報を解析し、受信した情報から必要情報を取得する。
【００４６】
取得機能１４１４は、管理システム３０から所望の情報を取得する機能である。具体的には、例えば、処理回路１４１は、所定のタイミングで取得機能１４１４を実行する。取得機能１４１４を実行すると処理回路１４１は、管理システム３０に対し、例えば、原材料に関するコードと対応する、成分コードに関する情報を要求する。処理回路１４１は、要求に応じて管理システム３０から送信される情報を受信する。
【００４７】
判定機能１４１５は、通信端末２０から送信される情報に、使用者に禁忌の成分が含まれているか否かを判定する機能である。具体的には、例えば、処理回路１４１は、所定のタイミングで判定機能１４１５を実行する。判定機能１４１５を実行すると処理回路１４１は、公開データベース１４３２に記憶されている公開情報を参照し、通信端末２０から送信された情報に、使用者に禁忌の成分が含まれているか否かを判定する。
【００４８】
次に、以上のように構成された病院情報システム１０における第１サーバ１１、及び第２サーバ１４の動作を、処理回路１１１，１４１の処理手順に従って説明する。まず、認証情報、及び公開情報が、認証データベース１４３１、及び公開データベース１４３２にそれぞれ登録される際の処理を説明する。図５は、図３に示される第１サーバ１１の処理回路１１１が認証情報、及び公開情報を作成する際の動作の例を表すフローチャートである。
【００４９】
まず、患者は医師等の医療スタッフに対し、病院情報システム１０の利用を申し出る。病院情報システム１０の利用の申し出を受けると医療スタッフは、ＰＣ端末１２を操作し、認証情報の発行指示、及び公開情報の作成指示を入力する。ＰＣ端末１２は、認証情報の発行、及び公開情報の作成を指示する指示信号を第１サーバ１１へ送信する。
【００５０】
第１サーバ１１の処理回路１１１は、ＰＣ端末１２から指示信号を受信する（ステップＳ５１）。処理回路１１１は、ＰＣ端末１２から認証情報の発行指示を受信すると、認証情報作成機能１１１１を実行する。認証情報作成機能１１１１を実行すると処理回路１１１は、診療データベース１１３１に記憶されている、患者を特定可能な番号、例えば、患者ＩＤ、及びマイナンバー等を用いて認証情報を作成する（ステップＳ５２）。
【００５１】
また、処理回路１１１は、ＰＣ端末１２から公開情報の作成指示を受信すると、公開情報作成機能１１１２を実行する。公開情報作成機能１１１２を実行すると処理回路１１１は、診療データベース１１３１に記憶されている、アレルギー・禁忌に関する情報に基づいて公開情報を作成する（ステップＳ５２）。具体的には、例えば、診療データベース１１３１に記憶されている診療情報では、アレルギー・禁忌に関する情報が所定の規則に則って表されている。所定の規則とは、例えば、地域医療連携の要請に応じた規則である。この規則に則り、アレルギー・禁忌に関する情報が、禁忌コード、成分名称、及び成分コード等を用いて記憶されている。公開情報作成機能１１１２を実行すると処理回路１１１は、変換データベース１１３２に従い、診療情報から患者ＩＤ、禁忌コード、成分名称、及び成分コードを抽出する。処理回路１１１は、抽出した患者ＩＤ、禁忌コード、成分名称、及び成分コードに基づいて公開情報を作成する。図６は、図３に示される処理回路１１１により作成される公開情報の例を表す図である。図６によれば、公開情報では、患者ＩＤ毎に、禁忌コード、成分名称、及び成分コードが関連付けられている。
【００５２】
処理回路１１１は、認証情報を作成すると、作成した認証情報を第２サーバ１４へ送信する（ステップＳ５３）。また、処理回路１１１は、公開情報を作成すると、作成した公開情報を第２サーバ１４へ送信する（ステップＳ５３）。
【００５３】
第２サーバ１４の処理回路１４１は、認証情報、及び公開情報を受信すると記憶制御機能１４１１を実行する。記憶制御機能１４１１を実行すると処理回路１４１は、受信した認証情報を記憶回路１４３に構築されている認証データベース１４３１へ記憶する。このとき、処理回路１４１は、認証情報を、患者の識別情報である患者ＩＤと関連付けて認証データベース１４３１へ記憶している。また、記憶制御機能１４１１を実行すると処理回路１４１は、受信した公開情報を記憶回路１４３に構築されている公開データベース１４３２へ記憶する。
【００５４】
第１サーバ１１の処理回路１１１は、認証情報が認証データベース１４３１に記憶されると、その認証情報をＰＣ端末１２へ出力する（ステップＳ５４）。ＰＣ端末１２は、第１サーバ１１から送信された認証情報を患者に表示する。また、ＰＣ端末１２は、出力インタフェース回路を有し、発行された認証情報を、出力インタフェース回路により、患者が有する通信端末へ書き込むようにしても構わない。
【００５５】
続いて、通信端末２０の使用者が購入を検討している商品について、禁忌となる成分が含まれているか否かが判断される際の処理を説明する。図７は、図４に示される第２サーバ１４の処理回路１４１が、商品に禁忌となる成分が含まれているか否かを判断する際の動作の例を説明する図である。なお、図７の例では、商品の包装には１次元バーコードが付されているとする。１次元バーコードには、商品の製造元、及び商品自体を表す情報を含めることが可能である。
【００５６】
まず、通信端末２０の使用者は、通信端末２０に設けられている撮像回路により、商品の包装に付されている１次元バーコードを読み取る（ステップＳ７１）。なお、撮像回路には、例えば、カメラ、及びバーコード読み取り機等が含まれる。使用者は、通信端末２０を操作し、読み取った１次元バーコードに関する情報と、自身に設定された認証情報とを、ＩＰ網を介して病院情報システム１０へ送信する（ステップＳ７２）。なお、認証情報は、１次元バーコードに関する情報を送信する際に、使用者により通信端末２０の入力インタフェース回路から入力されてもよい。また、認証情報は、通信端末２０の記憶回路に記憶されており、１次元バーコードに関する情報を送信する際に、記憶回路から読み出されてもよい。
【００５７】
病院情報システム１０の第２サーバ１４は、通信端末２０から送信された１次元バーコードに関する情報と、認証情報とを受信する。第２サーバ１４の処理回路１４１は、認証情報を受信すると、認証機能１４１２を実行する（ステップＳ７３）。認証機能１４１２を実行すると処理回路１４１は、認証データベース１４３１にアクセスし、受信した認証情報と一致する認証情報が、認証データベース１４３１に記憶されているか否かを確認する。一致する認証情報が認証データベース１４３１に記憶されている場合、処理回路１４１は、通信端末２０の使用者の病院情報システム１０へのアクセスを許可する。認証データベース１４３１では、認証情報と、患者の識別情報である患者ＩＤとが関連付けられている。処理回路１４１は、使用者のアクセスを許可すると共に、認証情報と関連付けられている患者ＩＤを取得する。
【００５８】
一方、一致する認証情報が認証データベース１４３１に記憶されていない場合、処理回路１４１は、通信端末２０の使用者が、病院情報システム１０へのアクセスを許可されていない旨を通信端末２０へ送信する。
【００５９】
処理回路１４１は、使用者のアクセスを許可すると、解析機能１４１３を実行する（ステップＳ７４）。解析機能１４１３を実行すると処理回路１４１は、１次元バーコードに関する情報を解析し、製造元コード、及び商品コードを取得する。
【００６０】
処理回路１４１は、製造元コード、及び商品コードを取得すると、取得機能１４１４を実行する。取得機能１４１４を実行すると処理回路１４１は、製造元コードに基づき、製造元の管理システム３０へアクセスするための製造元情報を、公開データベース１４３２から読み出す（ステップＳ７５）。公開データベース１４３２には、製造元コードと、製造元情報とが対応付けられた対応情報が予め記憶されている。製造元情報は、例えば、管理システム３０のＵＲＬ等であってもよい。
【００６１】
処理回路１４１は、公開データベース１４３２から製造元情報を読み出すと、読み出した製造元情報宛てに、要求信号を送信する（ステップＳ７６）。要求信号は、抽出した商品コードと対応する成分コードに関する情報を要求する信号である。成分コードに関する情報は、商品コードと対応する成分コードそのものであってもよいし、商品コードと成分コードとの対応情報であってもよい。なお、図７の説明では、処理回路１４１が、商品コードと対応する成分コードそのものを要求する例を説明する。
【００６２】
管理システム３０は、病院情報システム１０から送信される要求信号を受信する。管理システム３０は、要求信号を受信すると、商品コードと、成分コードとの対応情報を参照する。図８は、図１で示される管理システム３０が記憶している、商品コードと、成分コードとの対応情報の例を表す図である。管理システム３０は、商品コードと対応付けられている成分コードを取得する（ステップＳ７７）。管理システム３０は、取得した成分コードに関する情報を病院情報システム１０へ送信する（ステップＳ７８）。
【００６３】
病院情報システム１０は、管理システム３０から送信される成分コードに関する情報を受信する。第２サーバ１４の処理回路１４１は、成分コードに関する情報を受信すると、判定機能１４１５を実行する。判定機能１４１５を実行すると処理回路１４１は、管理システム３０から送信された成分コードを、公開データベース１４３２に記憶されている、使用者に対して設定されている成分コードに照合させる。管理システム３０から送信された成分コードのうち少なくともいずれかが、使用者の患者ＩＤに対して設定されている成分コードと一致する場合、処理回路１４１は、通信端末２０のより読み取られた商品に、使用者にとって禁忌となる成分が含まれていると判断する（ステップＳ７９）。
【００６４】
例えば、患者ＩＤ「９９９」の使用者が通信端末２０により読み取った商品コードが「１２３４５６７８９０１２３１」であるとする。処理回路１４１は、商品コード「１２３４５６７８９０１２３１」と対応する成分コードを管理システム３０へ要求する。すると、管理システム３０からは、図８に基づき、成分コード「１」、「２」が処理回路１４１へ返信される。処理回路１４１は、返信された成分コード「１」、「２」が、公開データベース１４３２に記憶されている患者ＩＤ「９９９」の成分コードと一致するか否かを判断する。図６によれば、公開データベース１４３２に記憶されている患者ＩＤ「９９９」の成分コードは「１」、「２」であり、返信された成分コードと一致する。この場合、処理回路１４１は、通信端末２０のより読み取られた商品に、使用者にとって禁忌となる成分が含まれていると判断する。
【００６５】
一方、管理システム３０から送信された成分コードの全てが、使用者の患者ＩＤに対して設定されている成分コードと一致しない場合、処理回路１４１は、商品には禁忌となる成分が含まれていないと判断する。
【００６６】
処理回路１４１は、ステップＳ７９での判断の結果を、判断結果として通信端末２０へ送信する（ステップＳ７１０）。
【００６７】
通信端末２０は、病院情報システム１０から判断結果を受信すると、受信した判断結果を表示回路に表示する（ステップＳ７１１）。図９乃至図１１は、図１に示される通信端末２０に設けられる表示回路の表示例を表す図である。図９は、商品に禁忌となる成分が含まれていない場合の表示例を表す。図１０は、商品に禁忌となる成分が含まれている場合の表示例を表す。図１１は、管理システム３０に商品コードが登録されていない場合の表示例を表す。なお、通信端末２０の表示は、これらに限定されない。通信端末２０には、禁忌成分が含まれているか否かに加え、禁忌成分の成分名称が表示されるようにしても構わない。このとき、ステップＳ７１０において、病院情報システム１０から通信端末２０へ、判断結果と共に禁忌となる成分コードと対応する成分名称が通信端末２０へ送信される。
【００６８】
なお、図７の例では、第２サーバ１４の処理回路１４１が１次元バーコードを解析する場合を説明した。しかしながら、これに限定されない。例えば、通信端末２０に１次元バーコードを解析可能なアプリケーションが搭載されている場合には、処理回路１４１が解析処理を実施する必要は無い。通信端末２０に１次元バーコードを解析可能なアプリケーションが搭載されている場合、通信端末２０は、１次元バーコードを解析することで、製造元コード、及び商品コードを取得する。通信端末２０は、取得した製造元コード、及び商品コードと、認証情報とを、ＩＰ網を介して病院情報システム１０へ送信する。そして、第２サーバ１４の処理回路１４１は、認証機能１４１２を実行した後、取得機能１４１４を実行する。
【００６９】
また、図７の例では、商品の包装に１次元バーコードが付されている場合を説明した。しかしながら、商品の包装には、２次元バーコードが付されてもよい。２次元バーコードには、商品の製造元、商品自体、及び商品に含まれる成分を表す情報を含めることが可能である。商品の包装に２次元バーコードが付されている場合、第２サーバ１４の処理回路１４１は、図７で示される動作と異なる動作を実施してもよい。図１２は、商品の包装に２次元バーコードが付されている場合の、第２サーバ１４の処理回路１４１の動作の例を説明する図である。
【００７０】
まず、通信端末２０の使用者は、通信端末２０に設けられている撮像回路により、商品の包装に付されている２次元バーコードを読み取る（ステップＳ１２１）。使用者は、通信端末２０を操作し、読み取った２次元バーコードに関する情報と、自身に設定された認証情報とを、ＩＰ網を介して病院情報システム１０へ送信する（ステップＳ１２２）。
【００７１】
病院情報システム１０の第２サーバ１４は、通信端末２０から送信された２次元バーコードに関する情報と、認証情報とを受信する。第２サーバ１４の処理回路１４１は、認証情報を受信すると、認証機能１４１２を実行する（ステップＳ１２３）。
【００７２】
処理回路１４１は、使用者のアクセスを許可すると、解析機能１４１３を実行する（ステップＳ１２４）。解析機能１４１３を実行すると処理回路１４１は、２次元バーコードに関する情報を解析し、商品コードを取得する。
【００７３】
処理回路１４１は、成分コードを取得すると、判定機能１４１５を実行する（ステップＳ１２５）。処理回路１４１は、ステップＳ１２５での判断の結果を、判断結果として通信端末２０へ送信する（ステップＳ１２６）。通信端末２０は、病院情報システム１０から送信された判断結果を受信すると、受信した判断結果を表示回路に表示する（ステップＳ１２７）。
【００７４】
なお、図１２の例では、第２サーバ１４の処理回路１４１が２次元バーコードを解析する場合を説明した。しかしながら、これに限定されない。例えば、通信端末２０に２次元バーコードを解析可能なアプリケーションが搭載されている場合には、処理回路１４１が解析処理を実施する必要は無い。通信端末２０に２次元バーコードを解析可能なアプリケーションが搭載されている場合、通信端末２０は、２次元バーコードを解析することで、成分コードを取得する。通信端末２０は、取得した成分コードと、認証情報とを、ＩＰ網を介して病院情報システム１０へ送信する。そして、第２サーバ１４の処理回路１４１は、認証機能１４１２を実行した後、判定機能１４１５を実行する。
【００７５】
以上のように、第１の実施形態では、第１サーバ１１は、診療データベース１１３１に記憶される診療情報に基づき、認証情報、及び公開情報を作成する。作成された認証情報、及び公開情報は、認証データベース１４３１、及び公開データベース１４３２にそれぞれ記憶される。第２サーバ１４は、商品についての情報を受信すると、認証情報に基づき、商品の購入を検討している者が患者であるか否かを判断する。第２サーバ１４は、患者であると確認すると、公開情報と、商品についての情報とに基づき、患者の禁忌となる成分が商品に含まれているか否かを判断する。そして、第２サーバ１４は、判断結果を出力するようにしている。これにより、病院情報システム１０は、診療情報と紐付けられた公開情報に基づき、商品における禁忌成分の有無を判断することが可能となる。
【００７６】
したがって、第１の実施形態に係る病院情報システム１０によれば、消費者が商品の購入を検討する際に、商品に禁忌となる物質が含まれているか否かを容易に確認することができる。
【００７７】
なお、第１の実施形態では、図４に示されるように、第２サーバ１４の記憶回路１４３に認証データベース１４３１、及び公開データベース１４３２が構築される場合を例に説明した。しかしながら、これに限定されない。記憶回路１４３には、図１３に示されるように書込用公開データベース１４３３が構築されてもよい。書込用公開データベース１４３３には、例えば、通信端末２０の使用者が購入した商品についての情報が記憶される。
【００７８】
図１４は、図１３に示される第２サーバ１４の処理回路１４１が、書込用公開データベース１４３３へ情報を書き込む際の動作の例を説明する図である。
【００７９】
ステップＳ７１１において、通信端末２０の表示回路には、判断結果と共に、その商品を購入するか否かを選択するための選択アイコンが表示される。使用者は、商品を購入する場合、「購入」の意思を表す選択アイコンを選択する（ステップＳ１４１）。「購入」が選択されると、通信端末２０は、使用者が商品の購入を決定したことを表す購入信号を病院情報システム１０へ送信する（ステップＳ１４２）。購入信号には、例えば、購入予定の商品の商品コードが含まれる。なお、購入信号には、商品に含まれる成分に関する成分コードが含まれてもよい。
【００８０】
病院情報システム１０は、通信端末２０から送信される購入信号を受信する。第２サーバ１４の処理回路１４１は、購入信号を受信すると、記憶制御機能１４１１を実行する。記憶制御機能１４１１を実行すると処理回路１４１は、購入予定の商品に関する購入情報を書込用公開データベース１４３３へ書き込む（ステップＳ１４３）。具体的には、処理回路１４１は、商品の購入を決定した使用者の患者ＩＤ、購入予定の商品の商品コード及び成分コード、並びに、商品を購入する年月日等を、購入情報として書込用公開データベース１４３３へ書き込む。これにより、書込用公開データベース１４３３に使用者の購入履歴が記憶されることになる。書込用公開データベース１４３３に使用者の購入履歴が記憶されることにより、次に患者を診察する際に、医師は、購入履歴を参照することが可能となる。
【００８１】
（第２の実施形態）  
第１の実施形態では、通信端末２０が利用される場合を例に説明した。第２の実施形態では、通信端末２０の代わりに、所定の情報を記憶した記憶媒体が利用される場合を例に説明する。
【００８２】
図１５は、第２の実施形態に係る病院情報システム１０が活用される環境の一例を表すブロック図である。図１５では、病院情報システム１０、管理システム３０、及び対応端末５０がＩＰ網により接続されている。また、所定の情報が書き込まれた記憶媒体６０が所持者により所持されている。
【００８３】
記憶媒体６０は、接触型又は非接触型のＩＣカード、又はＩＣチップを内蔵した身分証名称等により実現される。記憶媒体６０は、例えば、クレジットカード、及びパスポートが想定される。記憶媒体６０には、所持者が病院で診察された際に、その診察において設定された認証情報が書き込まれている。認証情報は、例えば、病院情報システム１０のＰＣ端末１２に備えられる出力インタフェース回路により書き込まれる。なお、記憶媒体６０は、撮像回路が設けられていない携帯電話、及びスマートフォン等であっても構わない。
【００８４】
対応端末５０は、買物客との商取引を決済するための装置である。対応端末５０は、例えば、店舗の精算所に設けられるＰＯＳ（Point Of Sale）端末により実現される。対応端末５０は、コードスキャナを備える。対応端末５０は、買物客が持ってきた商品の包装に付されているコードシンボルをコードスキャナにより読み取る。また、対応端末５０は、記憶媒体６０から情報を読み取るリーダを備える。対応端末５０は、記憶媒体６０に書き込まれている情報をリーダにより読み取る。
【００８５】
続いて、記憶媒体６０の所持者が購入を検討している商品について、禁忌となる成分が含まれているか否かが判断される際の処理を説明する。図１６は、第２の実施形態に係る第２サーバ１４が、商品に禁忌となる成分が含まれているか否かを判断する際の動作の例を説明する図である。なお、図１６の例では、商品の包装には１次元バーコードが付されているとする。また、記憶媒体６０の所持者が対応端末５０を操作するものとする。
【００８６】
まず、記憶媒体６０の所持者は、対応端末５０を操作し、対応端末５０に記憶媒体６０に書き込まれている認証情報を読み取らせる（ステップＳ１６１）。続いて、所持者は、対応端末５０を操作し、自身が持ってきた商品に付された１次元バーコードを対応端末５０に読み取らせる（ステップＳ１６２）。対応端末５０は、記憶媒体６０から読み取った認証情報と、商品から読み取った１次元バーコードに関する情報とを、ＩＰ網を介して病院情報システム１０へ送信する（ステップＳ１６３）。
【００８７】
病院情報システム１０の第２サーバ１４は、対応端末５０から送信された１次元バーコードに関する情報と、認証情報とを受信する。第２サーバ１４の処理回路１４１は、認証情報を受信すると、認証機能１４１２を実行する（ステップＳ１６４）。認証機能１４１２を実行すると処理回路１４１は、記憶媒体６０から読み出された認証情報が、認証データベース１４３１に記憶されているか否かを確認する。一致する認証情報が認証データベース１４３１に記憶されている場合、処理回路１４１は、対応端末５０の病院情報システム１０へのアクセスを許可する。
【００８８】
処理回路１４１は、対応端末５０のアクセスを許可すると、解析機能１４１３を実行する（ステップＳ１６５）。解析機能１４１３を実行すると処理回路１４１は、１次元バーコードに関する情報を解析し、製造元コード、及び商品コードを取得する。
【００８９】
処理回路１４１は、製造元コード、及び商品コードを取得すると、取得機能１４１４を実行する。取得機能１４１４を実行すると処理回路１４１は、製造元コードに基づき、製造元の管理システム３０へアクセスするための製造元情報を、公開データベース１４３２から読み出す（ステップＳ１６６）。
【００９０】
処理回路１４１は、公開データベース１４３２から製造元情報を読み出すと、読み出した製造元情報宛てに、要求信号を送信する（ステップＳ１６７）。管理システム３０は、要求信号を受信すると、商品コードと、成分コードとの対応情報を参照し、商品コードと対応付けられている成分コードを取得する（ステップＳ１６８）。管理システム３０は、取得した成分コードに関する情報を病院情報システム１０へ送信する（ステップＳ１６９）。
【００９１】
病院情報システム１０は、管理システム３０から送信される成分コードに関する情報を受信する。第２サーバ１４の処理回路１４１は、成分コードに関する情報を受信すると、判定機能１４１５を実行する（ステップＳ１６１０）。
【００９２】
処理回路１４１は、ステップＳ１６１０での判断の結果を、判断結果として対応端末５０へ送信する（ステップＳ１６１１）。対応端末５０は、病院情報システム１０から判断結果を受信すると、受信した判断結果を表示回路に表示する（ステップＳ１６１２）。記憶媒体６０の所持者は、対応端末５０の表示を参照し、商品を購入するか否かを返答する。
【００９３】
以上のように、第２の実施形態では、第１サーバ１１で作成された認証情報が記憶媒体６０に書き込まれる。第２サーバ１４は、対応端末５０が記憶媒体６０から読み取った認証情報に基づき、商品の購入を検討している者が患者であるか否かを判断する。第２サーバ１４は、患者であると確認すると、公開情報と、対応端末５０から送信される商品についての情報とに基づき、患者の禁忌となる成分が商品に含まれているか否かを判断する。そして、第２サーバ１４は、判断結果を対応端末５０へ出力するようにしている。これにより、病院情報システム１０は、診療情報と紐付けられた公開情報に基づき、商品における禁忌成分の有無を判断することが可能となる。
【００９４】
したがって、第２の実施形態に係る病院情報システム１０によれば、消費者が商品の購入を検討する際に、商品に禁忌となる物質が含まれているか否かを容易に確認することができる。
【００９５】
なお、上記第１、及び第２の実施形態では、第２サーバ１４の処理回路１４１は、解析機能１４１３を実行した後に、取得機能１４１４を実行する場合を例に説明した。しかしながら、これに限定されない。例えば、処理回路１４１は、予め設定された周期で取得機能１４１４を実行しても構わない。具体的には、処理回路１４１は、各月等の予め設定された周期で、管理システム３０へ、商品コードと成分コードとの対応情報を要求する要求信号を送信する。管理システム３０は、要求信号に応じ、対応情報を病院情報システム１０へ送信する。このとき、処理回路１４１は、使用者のアクセスを許可すると、判定機能１４１５を実行する。
【００９６】
上記説明において用いた「プロセッサ」という文言は、例えば、ＣＰＵ（central processing unit）、ＧＰＵ(Graphics Processing Unit)、或いは、特定用途向け集積回路（Application Specific Integrated Circuit：ＡＳＩＣ））、プログラマブル論理デバイス（例えば、単純プログラマブル論理デバイス（Simple Programmable Logic Device：ＳＰＬＤ）、複合プログラマブル論理デバイス（Complex Programmable Logic Device：ＣＰＬＤ）、及びフィールドプログラマブルゲートアレイ（Field Programmable Gate Array：ＦＰＧＡ））等の回路を意味する。プロセッサは記憶回路に保存されたプログラムを読み出し実行することで機能を実現する。なお、第１、及び第２の実施形態の各プロセッサは、プロセッサ毎に単一の回路として構成される場合に限らず、複数の独立した回路を組み合わせて１つのプロセッサとして構成し、その機能を実現するようにしてもよい。
【００９７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９８】
１０…病院情報システム、１１…第１サーバ、１１１…処理回路、１１１１…認証情報作成機能、１１１２…公開情報作成機能、１１２…通信インタフェース回路、１１３…記憶回路、１１３１…診療データベース、１１３２…変換データベース、１２…ＰＣ端末、１３…中継装置、１４…第２サーバ、１４１…処理回路、１４１１…記憶制御機能、１４１２…認証機能、１４１３…解析機能、１４１４…取得機能、１４１５…判定機能、１４２…通信インタフェース回路、１４３…記憶回路、１４３１…認証データベース、１４３２…公開データベース、１４３３…書込用公開データベース、１５…中継装置、２０…通信端末、３０…管理システム、５０…対応端末、６０…記憶媒体。
【図１】
2018139063.tif 000003
【図２】
2018139063.tif 000004
【図３】
2018139063.tif 000005
【図４】
2018139063.tif 000006
【図５】
2018139063.tif 000007
【図６】
2018139063.tif 000008
【図７】
2018139063.tif 000009
【図８】
2018139063.tif 000010
【図９】
2018139063.tif 000011
【図１０】
2018139063.tif 000012
【図１１】
2018139063.tif 000013
【図１２】
2018139063.tif 000014
【図１３】
2018139063.tif 000015
【図１４】
2018139063.tif 000016
【図１５】
2018139063.tif 000017
【図１６】
2018139063.tif 000018